(57)【要約】【課題】特定角度および深さのディンプルが設けられ、ディンプル内に少なくとも三つのチップが設けられ、複合光機能および最適照明効果を有するようになるサイド発光ＬＥＤ構造を提供すること。【解決手段】サイド発光ＬＥＤ構造は、ベースと、フレームと、少なくとも三つのチップとを含み、該ベースの頂部にはディンプルが設けられ、該ディンプル周縁の角度が３〜４５°に介在し、該フレームがベースのディンプル内に固着されるとともに、それぞれのチップがディンプル内のフレームに電気的に接続され、これらのチップの上縁からディンプルの頂面までの深さが０．３ｍｍ〜３ｍｍに介在され、よって、複合光機能および最適照明効果を有する発光ダイオードになる。【選択図】図１
0003130525.tif 000002
【実用新案登録請求の範囲】
【請求項１】
前側にはディンプルが設けられ、ディンプル周縁の角度が３°〜４５°に介在するベースと、
ベースのディンプル内に固着され、前記ベースの側面に設けられた複数のピンが延出しているフレームと、
ディンプル内のフレームに電気的に接続され、且つチップ上縁からディンプルの頂面までの深さが０．３ｍｍ〜３ｍｍに介在される少なくとも三つのチップと、
ベースのディンプル内に設けられ、前記それぞれの素子を一体に結合したゾルとを含むことを特徴とするサイド発光ＬＥＤ構造。
【請求項２】
前記フレームが延出している複数のピンが屈折状になることを特徴とする請求項１に記載のサイド発光ＬＥＤ構造。
【請求項３】
前記複数の屈折状ピンの各隣接する２ピンが、ベースの側面に逆方向に配列されていることを特徴とする請求項２に記載のサイド発光ＬＥＤ構造。
【請求項４】
前記チップが、フリップチップのタイプであることを特徴とする請求項１に記載のサイド発光ＬＥＤ構造。
【考案の詳細な説明】
【技術分野】
【０００１】
本考案は、特定角度および深さのディンプルが設けられ、ディンプル内に少なくとも三つのチップが設けられ、複合光機能および最適照明効果を有するようになるサイド発光ＬＥＤ構造に係わり、特に、バックライトモジュールやサイド発光ダイオード或は類似装置に適応するものである。
【背景技術】
【０００２】
最も早期の発光ダイオードは、フレームの凹み部にチップを置き、さらにダイボンディング、ワイヤボンディングおよびパッケージなどのステップを経ってから、単個の発光ダイオードになり、このような単個の発光ダイオードは、一般、戸外の情報看板や交通信号ランプおよび自動車のブレーキランプに用いる場合が多い。
【考案の開示】
【考案が解決しようとする課題】
【０００３】
近年、発光ダイオードは、バックライトモジュールの発光源として、バックライトモジュールに適応されていき、このようなバックライトモジュールとしての発光ダイオードが、主に、内部の三種の原色チップから光および複合光を発光し、様々な色の光源を発生する。発光ダイオードの照明効果を増加するためには、発光ダイオードの外観がベース形状に設けられ、ベースの前側にディンプルが形成され、ディンプルの頂面にディンプルを封止するためのシートが固着され、ディンプル内に少なくとも三つのチップが埋設けられ、それぞれのチップがフレームに電気的に連結され、フレームのピンが屈折されベースの側面に配列されている。さらに、発光ダイオード内のそれぞれのチップから発する光が複合した後に、封止ディンプルを経って集光した後に、さらにベースの頂面から投射し出ていき照明効果を増加する。
【０００４】
従来のバックライトモジュールに用いる発光ダイオードは、照明効果を増加したが、好ましい照明状態には尚差があるため、使用要求に符合するには改良する必要がある。
【０００５】
前記従来のバックライトモジュールに適応する発光ダイオードの構造が、実際使用上に存在している欠点および制限を鑑み、本考案の創作者は、この様な事項を従事する長年の経験で、且つ専念に研究をし、やっと新規なサイド発光ＬＥＤ構造を設計できた。
【課題を解決するための手段】
【０００６】
本考案の主な目的は、特定角度および深さのディンプルが設けられ、ディンプル内に少なくとも三つのチップが設けられ、複合光機能および最適照明効果を有するようになるサイド発光ＬＥＤ構造を提供する。
【０００７】
前記目的を達成するために、本考案は、ベースと、フレームと、少なくとも三つのチップとを含み、該ベースの頂部にはディンプルが設けられ、該ディンプル周縁の角度が３°〜４５°に介在し、該フレームがベースのディンプル内に固着されるとともに、それぞれのチップがディンプル内のフレームに電気的に接続され、これらのチップの上縁からディンプルの頂面までの深さが０．３ｍｍ〜３ｍｍに介在され、よって、複合光機能および最適照明効果を有する発光ダイオードになる。
【０００８】
すなわち、本願の第１考案は、前側にはディンプルが設けられ、ディンプル周縁の角度が３°〜４５°に介在するベースと、ベースのディンプル内に固着され、前記ベースの側面に設けられた複数のピンが延出しているフレームと、ディンプル内のフレームに電気的に接続され、且つチップ上縁からディンプルの頂面までの深さが０．３ｍｍ〜３ｍｍに介在される少なくとも三つのチップと、ベースのディンプル内に設けられ、前記それぞれの素子を一体に結合したゾルとを含むことを特徴とするサイド発光ＬＥＤ構造を提供することを要旨としている。
【０００９】
また、本願の第２考案は、前記フレームが延出している複数のピンが屈折状になることを特徴とする本願の第１考案に記載のサイド発光ＬＥＤ構造を提供することを要旨としている。
【００１０】
また、本願の第３考案は、前記複数の屈折状ピンの各隣接する２ピンが、ベースの側面に逆方向に配列されていることを特徴とする本願の第２考案に記載のサイド発光ＬＥＤ構造を提供することを要旨としている。
【００１１】
また、本願の第４考案は、前記チップが、フリップチップのタイプであることを特徴とする本願の第１考案に記載のサイド発光ＬＥＤ構造を提供することを要旨としている。
【考案の効果】
【００１２】
以上のように、本考案は、ベースの頂部には特定角度および深さのディンプルが形成され、ディンプル内に少なくとも三つのチップが設けられたので、ベースのディンプル内にはそれぞれのチップが光および複合光を発してから、ディンプルで集光され最適な照明効果を発生できる。
【考案を実施するための最良の形態】
【００１３】
本考案の構造、特徴及びその使用効果には一層なる認識および了解できるため、好ましい実施例を図面に合せて以下のように詳しく説明する。
【実施例】
【００１４】
図１、図２および図３に示すように、本考案は、ベース１０を含み、該ベース１０の底部中央には凹み部１１が設けられ、且つ該ベース１０の底部の一側に隅切り１２が形成され、該ベース１０の頂部にディンプル１３が形成され、該ディンプル１３の角度θ１およびθ２が、３°〜４５°に介在し、該ディンプル１３内にフレーム２０が固着され、該フレーム２０上に少なくとも三つのチップ３０が設置され、それぞれのチップ３０がフレーム２０に電気的に接続され、また、これらのチップ３０の上縁からディンプル１３の頂面までの深さｈが０．３ｍｍ〜３ｍｍに介在され、且つ、該ディンプル１３内にゾル１４が設けられ、ディンプル１３を封止させる。
【００１５】
また、該フレーム２０の一側には複数のピン２１が延出され、該複数のピン２１が屈折状になり、且つ、これらの屈折状ピンの各隣接する２ピンが、ベース１０に逆方向に配列されている。
【００１６】
このようにして、本考案が使用する時に、該ベース１０のディンプル１３内の各チップ３０が、光および複合光を発光し様々な色の光源を発生するため、各チップ３０から発する光線が、該チップ３０の上縁からディンプル１３の頂面までの深さｈが０．３ｍｍ〜３ｍｍに介在され、並びにディンプル１３周縁の角度が３°〜４５°に介在するような設計により、それぞれのチップ３０が発する光線をディンプル１３を経って集光させた後に、該ゾル１４を介して投射し出ていき照明効果を増加させる。
【００１７】
以上のように、本考案は、ベースの頂部には特定角度および深さのディンプルが形成され、ディンプル内に少なくとも三つのチップが設けられたので、ベースのディンプル内にはそれぞれのチップが光および複合光を発してから、ディンプルで集光され最適な照明効果を発生できる。
【００１８】
しかし、前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【００１９】
以上のように、本考案は予期の創作目的を達成でき、照明効果を増加できるサイド発光ＬＥＤ構造を提供し、使用機能を向上できる。
【図面の簡単な説明】
【００２０】
【図１】図１は、本考案の斜視図である。
【図２】図２は、図１のＡ−Ａ方向の断面図である。
【図３】図３は、図１のＢ−Ｂ方向の断面図である。
【符号の説明】
【００２１】
１０    ベース
１１    凹み部
１２    隅切り
１３    ディンプル
１４    ゾル
２０    フレーム
２１    ピン
３０    チップ
ｈ      深さ
θ１    角度
θ２    角度
【図１】
0003130525.tif 000003
【図２】
0003130525.tif 000004
【図３】
0003130525.tif 000005